(57)【要約】【課題】  支持脚を有しない座席の下部構造体に取り付け可能な背中部を覆う形態の背面シェル構造体を提供することを目的とする。【解決手段】  代表的な本発明の背面シェル構造体及び座席ユニットの一つは、前面部材と、後面部材からなる、座席の背中部を覆う背面シェル構造体であって、背面シェル構造体の一部には、前面部材と後面部材との間に空間補強部材が設けられた領域(以下、「補強領域」という。)が設けられており、補強領域以外では前面部材と後面部材とが直接接合している。さらに、前面部材と後面部材は複合部材で形成される。また、空間補強部材はハニカム構造体である。【選択図】  図６
2018176771.tif 000002
【特許請求の範囲】
【請求項１】
前面部材と、
後面部材からなる、
座席の背中部を覆う背面シェル構造体であって、
前記背面シェル構造体の一部には、前記前面部材と前記後面部材との間に空間補強部材が設けられた領域(以下、「補強領域」という。)が設けられており、
前記補強領域以外では前記前面部材と前記後面部材とが直接接合している
背面シェル構造体。
【請求項２】
前記前面部材と前記後面部材は複合部材で形成される請求項１に記載の背面シェル構造体。
【請求項３】
前記空間補強部材はハニカム構造体である請求項１に記載の背面シェル構造体。
【請求項４】
前記補強領域が前記補強領域以外の領域と接する近傍においては、前記補強領域を構成する前記前面部材と前記後面部材との間の距離が、前記補強領域以外の領域に向けて漸減する請求項１から３のいずれか一項に記載の背面シェル構造体。
【請求項５】
前記背面シェル構造体は、移動体に接続固定している下部構造体と一体に形成されている請求項１から３のいずれか一項に記載の背面シェル構造体。
【請求項６】
前記背面シェル構造体は、前記座席の右側シェル及び左側シェルと一体形成されている請求項１から３のいずれか一項に記載の背面シェル構造体。
【請求項７】
前記背面シェル構造体は、複数人分の前記背中部を覆う請求項１から３のいずれか一項に記載の背面シェル構造体。
【請求項８】
前記後面部材には、後部座席用のディスプレイを配設するための凹部が形成されている請求項１から３のいずれか一項に記載の背面シェル構造体。
【請求項９】
座席と、
請求項１に記載の背面シェル構造体と、
移動体に接続固定している下部構造体
からなる座席ユニット。
【発明の詳細な説明】
【技術分野】
【０００１】
本発明は、背面シェル構造体及びこれを用いた座席ユニットに関する。
【背景技術】
【０００２】
近年の航空機設計においては、航空機構造の軽量化や座席ユニットをはじめとする機内設備の設置の簡便化が求められている。航空機構造の軽量化が達成できれば、その分、航空機が運べる乗客数を増加させることもでき、航空機の潜在的収益性を増大させることができる。
【０００３】
また、機内設備の設置の簡便化が図れれば、航空機製造に要する期間を短縮することができ、併せて製造コストを低減させることができる。
【０００４】
特許文献１には、一体型の複合構造フレームと、この複合構造フレームに連結され、各乗客に一つずつ設けられた快適性フレームアセンブリとからなる座席アセンブリが記載されている。
【０００５】
この複合構造フレームは、航空機の機体と接続する支持脚と、支持脚と連結している背中支持要素と、背中支持要素と連結している上部背中側クロス梁及び下部背中側クロス梁が一体形成されている。
【０００６】
上部背中側クロス梁と下部背中側クロス梁との間には、後ろの乗客が使用するためのトレーテーブルを収容するための開口が設けられている。
【先行技術文献】
【特許文献】
【０００７】
【特許文献１】特表２０１０−５２７８３５号公報
【発明の概要】
【発明が解決しようとする課題】
【０００８】
本発明は、支持脚を有しない座席の下部構造体に取り付け可能な背中部を覆う形態の背面シェル構造体を提供することを目的とする。
【課題を解決するための手段】
【０００９】
上記目的を達成するために、代表的な本発明の背面シェル構造体及び座席ユニットの一つは、前面部材と、後面部材からなる、座席の背中部を覆う背面シェル構造体であって、前記背面シェル構造体の一部には、前記前面部材と前記後面部材との間に空間補強部材が設けられた領域(以下、「補強領域」という。)が設けられており、前記補強領域以外では前記前面部材と前記後面部材とが直接接合している。
【発明の効果】
【００１０】
本発明によれば、航空機の機体長手方向からの強い衝撃に対する強度を高める背面シェル構造体が実現できる。
【図面の簡単な説明】
【００１１】
【図１】一般的な座席ユニットの前方斜視図。
【図２】第１の実施形態に係る背面シェル構造体を含むシェル構造の前方斜視図。
【図３】座席の前方斜視図。
【図４】座席ユニットの前方斜視図。
【図５】座席土台の後方斜視図。
【図６】第１の実施形態に係るシェル構造の断面図。
【図７】第１の実施形態に係るシェル構造の断面図（変形例１）。
【図８】第１の実施形態に係るシェル構造の断面図（変形例２）。
【図９】第１の実施形態に係るシェル構造の先細り部分の拡大断面図。
【図１０】第１の実施形態に係るシェル構造の先細り部分の拡大断面図（変形例３）。
【図１１】第２の実施形態に係るシェル構造の断面図。
【図１２】第３の実施形態に係るシェル構造の後方斜視図。
【図１３】第４の実施形態に係る座席ユニットの後方斜視図。
【発明を実施するための形態】
【００１２】
まず、一般的な座席ユニットについて説明する。図１は、航空機の客室に配設されるビジネスクラスやファーストクラス向けの座席ユニットを前方から見た斜視図である。座席ユニット１は、座席１０をシェル２０で囲む構造を有しており、この図には、さらに、乗客が使用する装備（読書灯３６０など）も描かれている。
【００１３】
座席１０は、下部シート１１０、上部シート１２０、ヘッドレスト１３０、及び、レッグレスト１４０を備える。下部シート１１０は着座部とも呼ばれ、上部シート１２０は背もたれ部とも呼ばれる。座席にはシートベルト１５０が取り付けられている。
【００１４】
シェル２０は、座席１０の右側の右側シェル２１０、座席１０の背面の背面側シェル２２０、及び、座席１０の左側の左側シェル２３０を備える。
【００１５】
座席ユニット１は、さらに様々な装備を有している。座席１０の右側には、右側肘掛け部３１０が装備されている。座席１０の左側には、左側肘掛け部３２０が装備されている。左側肘掛け部３２０には、開閉式の収納ボックス３３０が設けられている。オットマン３４０は、左側肘掛け部３２０の前方に配置されている。
【００１６】
また、ヘッドレスト１３０と左側シェル２３０との間には、電装品のジャック３５０及び読書灯３６０が配設されている。
【００１７】
（第１の実施形態）
図２は、第１の実施形態に係る背面シェル構造体を含むシェル構造を斜め前方から見た斜視図である。
【００１８】
（全体構成）
図２において、シェル２０は、座席ユニットの下部構造体である座席土台２４０及びその上に存在する上部シェルから構成されている。また、上部シェルは、右側シェル２１０、背面全体を覆う背面側シェル２２０、及び、左側シェル２３０から構成されている。
【００１９】
座席ユニットの下部構造体である座席土台２４０は、一体に形成された部材を用いて、中空のボックス型に形成されている。ここで、一体に形成された部材とは、具体的には、ポリエーテルイミド、ポリエーテルケトンケトンなどの熱可塑性樹脂や、適切に可燃性を制御できる熱硬化性樹脂や、カーボングラファイトファイバー、ガラスファイバー、アラミドファイバーなどの複合材料から形成される部材であって、発泡体、ハニカム等の芯材を含むことができる複合部材である。また、上部シェルも、同様の複合部材で形成される。
【００２０】
このような一体に形成された複合部材は、ボルトやナットなどの接続部品を用いることなく強固な立体形状を形成することができる。また、上記のような複合材料によって形成されていることから、既存の金属の構造部材に比べ、防錆処理をする箇所を大幅に低減することができる。
【００２１】
また、中空のボックス構造は、筒型の構造形状を意味し、いわゆるモノコック構造となっている。このため、座席土台２４０は、座席、乗客、及び、乗客が使用する装備（読書灯３６０など）の荷重を支えることができる。
【００２２】
座席土台２４０の中空領域２４２は、座席の前方から見た形が長方形であるが、台形等の四辺形であってもよい。また、座席土台２４０つまり座席下部構造体を構成する部材の厚さはおよそ１０ｍｍ〜１５ｍｍである。
【００２３】
このような座席土台２４０では、１つの座席の足元を支持する柱状の支持体つまり脚部といった概念がないため、機体側の座席トラックの位置によって位置の制約を受けることがない。また、座席の上部構造の形状に関わらず様々な大きさ、形状の座席に対して共通の構造をとることができる。さらに、電気機器の取付け、これに伴う配線の配置についても、脚部の位置との制約を受けることがないため、設計の自由度の拡大や共通化を図ることができる。
【００２４】
また、中空領域２４２には、仕切り部材２５０を配設することもできる。座席土台２４０は、中空のモノコック構造であるため、仕切り部材２５０(仕切り板と呼ぶこともある)は、乗客等の荷重を支える必要が無く、中空領域２４２内で自在に移動できる。
【００２５】
（背面シェル構造体の構成）
図２において、座席の背中部を覆う背面シェル構造体である背面側シェル２２０は、その下方において、シェルを構成する前面部材と後面部材との間に、空間補強部材が設けられている。この空間補強部材が設けられた領域を補強領域という。以下では、空間補強部材の一例として、ハニカム構造体を説明する。そして、背面側シェル２２０の上方においては、前面部材と後面部材との間にハニカム構造体を有しておらず、前面部材と後面部材とが直接接合する構造となっている。つまり、背面側シェル２２０の上方は補強領域以外の領域になる。前面部材及び後面部材の材料は例えば樹脂と繊維による複合繊維である。また、ハニカム構造体の材料は例えば不燃性の紙とフェーノル樹脂による複合繊維である。
【００２６】
図２においては、背面側シェル２２０の中央部に構造分岐線２２６を点線が描かれているが、これは、シェルを構成する前面部材と後面部材との間にハニカム構造体を有している下方の領域（すなわち、補強領域）とハニカム構造体を有していない上方の領域（すなわち、補強領域以外の領域）の境界を便宜的に示したものである。
【００２７】
また、図２においては、右側シェル２１０と背面側シェル２２０の間に、便宜的にシェル境界線２１５を描いている。右側シェル２１０についても、背面側シェル２２０と同様に、構造分岐線２２６よりも下方の領域において、シェルを構成する前面部材と後面部材との間にハニカム構造体を有してもよいし、右側シェル２１０においては、ハニカム構造体を有する領域を構造分岐線２２６と無関係に適宜に変更しても良い。必要がなければ、右側シェル２１０においては、ハニカム構造体を有しなくとも良い。ハニカム構造体を有しない領域においては、シェルを構成する前面部材と後面部材とが直接接合していることが望ましい。
【００２８】
左側シェル２３０も、上述した右側シェル２１０と同様の構成となっている。なお、図２では、左側シェル２３０の前方は、座席土台２４０の前方まで届いていないが、右側シェル２１０と同様、座席土台２４０の前方まで配置されていてもよい。
【００２９】
（座席の構成）
図３は、第１の実施形態に用いる座席の例を斜め前方から見た斜視図である。座席１０は、乗客が着座する下部シート１１０、背中をもたせ掛ける上部シート１２０、背もたれの上部の枕状の部分であり、頭を乗せて首などを休ませるヘッドレスト１３０、及び、脚を乗せてふくらはぎ等の疲れを軽減させるレッグレスト１４０を備える。
【００３０】
座席リクライニング機構１８０は、上部シート１２０を後方に傾けさせる機構である。フット・リクライニング機構１９０は、レッグレスト１４０を下部シート１１０の面近くまで持ち上げるように回転させる機構である。
【００３１】
(座席ユニットの構成)
図４は、第１の実施形態に係る背面シェル構造体を採用した座席ユニットを斜め前方から見た斜視図である。この座席ユニット１は、図２を用いて説明したシェル２０に、図３を用いて説明した座席１０を乗せた形態である。また、座席１０と右側シェル２１０との間には、コンソールと後席のレッグスペースを兼ねた収納ボックス３３０を配設している。
【００３２】
図５は、座席ユニットの下部構造体（座席土台）を斜め後方から見た斜視図である。シェル２０は、後述する座席トラックを説明する便宜上、背面側シェル２２０を省略し、右側シェル２１０及び左側シェル２３０のみを図示している。
【００３３】
第１の座席トラック２８２及び第２の座席トラック２８４は一対の座席トラックを構成し、航空機の機体の床面において長手方向に延在している。航空機では、座席ユニット１の底部（図５では座席土台２４０の底部）が一対の座席トラックに固定されることによって、座席ユニット１が航空機の機体に取り付けられている。そして、所定の動荷重試験に合格することが、乗客の安全を確保する上で必要である。図５では、座席土台２４０は、航空機の機体の長手方向に対し、少し左側に向いて配設されている。このため、座席土台２４０は第１の座席トラック２８２及び第２の座席トラック２８４に正対しておらず、少し左側に向いている。
【００３４】
座席土台２４０の底部には、３個の取付けブロックが挿入されている（取付けブロックは点線で表示）。座席土台２４０は、３個の取付けブロックを介して、航空機の機体へ取り付けるための３個の取付け具に固定されている。座席土台２４０はモノコック構造であるため、取付けブロックが座席土台２４０の底部に設けられ、取付け具と座席土台２４０との接続を補強するために用いている。取付けブロックの材質は金属製などが望ましいが、補強用のブロックであればその材料は限定されない。
【００３５】
図５では、座席土台２４０を３箇所で航空機の機体に取付けるため、第１の取付けブロック２６２が座席土台２４０の底部の前方に配設され、その後方に第２の取付けブロック２６４が配設されている。第３の取付けブロック２６６は、右側に配設されている。
【００３６】
そして、各取付けブロックの下には、座席トラックへの取付け具がそれぞれ配設されている（取付け具は実線で表示）。すなわち、第１の取付け具２７２は、第１の取付けブロック２６２の下に配設され、第１の座席トラック２８２に取付けられる。第２の取付け具２７４は、第２の取付けブロック２６４の下に配設され、第１の座席トラック２８２であって、第１の取付け具２７２から間隔を隔てた点に取付けられる。
【００３７】
一方、第３の取付け具２７６は、第３の取付けブロック２６６の下に配設され、第２の座席トラック２８４であって、第１の取付け具２７２と第２の取付け具２７４との間に対応する部分に取り付けられる。望ましくは、第１の取付け具２７２と第２の取付け具２７４との間に対応する部分の略中央に取り付けられる。
【００３８】
このように３つの取付け具によって、座席土台２４０を一対の座席トラックに固定することによって、座席土台２４０を座席トラックに正対させる向きに取り付ける必要が必ずしも無くなる。これによって、機体の誤差に対して座席の取付け自由度及び、座席の認証時に求められる床面変形への追随性を格段に向上することができる。
【００３９】
（背面シェル構造体の断面構成）
図６は、図２のＡ−Ａ線における第１の実施形態に係るシェル構造の断面図である。座席土台２４０は、中空領域２４２の上下を覆う底部２４１及び上部２４３で構成さており、底部２４１及び上部２４３はハニカム構造体であることが示されている。
【００４０】
また、背面シェル構造体である背面側シェル２２０については、構造分岐線２２６の下側の下方部２２１ではハニカム構造体を有しているが、構造分岐線２２６の上側の上方部２２７ではハニカム構造体を有していない構造を示している。図６の例においては、構造分岐線２２６は背面側シェル２２０のほぼ中央であり、座席に座った乗客のみぞおち辺りに相当する。そして、背面側シェル２２０の横幅全体に渡ってこのような断面構造を有している。
【００４１】
図７は、図６で示した第１の実施形態の変形例１の断面図である。図６の場合と異なる点は、構造分岐線２２６ｂの位置が高く、背面側シェル２２０ｂの上から約４分の１である。このため、下方部２２１ｂは乗客の背中全体、腰から肩までを支え、上方部２２７ｂは乗客の頭部を支えている。
【００４２】
図８は、図６で示した第１の実施形態の変形例２の断面図である。図６と異なる点は、構造分岐線２２６ａの位置が低く、背面側シェル２２０ａの下から約４分の１である。このため、下方部２２１ａは乗客の腰を支え、上方部２２７ａは乗客の胸から頭部までを支えている。
【００４３】
つまり、背面シェル構造体において、ハニカム構造体を有する領域は、シェルに求められる強度や製造に要するコスト等を踏まえて、適宜に選択することが可能である。
【００４４】
図９は、第１の実施形態に係る背面シェル構造体のシェルを構成する前面部材と後面部材とが近接する付近の領域(以下、「先細り部分」という。)の拡大断面図であり、図６の構造分岐線２２６周辺を拡大したものである。上述したように、背面側シェル２２０の下方は、シェルを構成する前面部材２２２及び後面部材２２３がハニカム構造体２２４を挟んでいる。前面部材２２２は、構造分岐線２２６に近づくにつれ、後面部材２２３との間隔が狭くなり、先細りの状態になる。すなわち、補強領域を構成する前面部材２２２と後面部材２２３との間の距離が、補強領域以外の領域に向けて漸減している。
【００４５】
そして、構造分岐線２２６よりも上方では、前面部材２２２及び後面部材２２３はハニカム構造体２２４を介さずに直接接合している。そして、図９に示す例においては、ハニカム構造体２２４は、先細り部分まで充填されている。
【００４６】
図１０は、図９で示した先細り部分の変形例拡大断面図である。図９と異なる点は、ハニカム構造体２２４は、先細り部分まで充填されているのではなく、先細り部分にはスポンジ部材２２５が充填されていることである。つまり、前面部材と後面部材との間にハニカム構造体が設けられた領域と、前面部材と前記後面部材とが直接接合している領域の間には、前面部材と後面部材との間にスポンジ部材で充填された領域を有している。
【００４７】
このように、先細り部分にスポンジ部材２２５を充填することにより、背面側シェル２２０の製造を容易化することが可能になる。
【００４８】
（作用効果）
第１の実施形態によれば、シェルを構成する前面部材と後面部材との間にハニカム構造体を有する部分を背面シェル構造体の下方に設けることにより、上部シェル全体において、下方においては強い衝撃を吸収し、上方においては衝撃による弾性変位を素早く元の状態に戻すことができる。これによって、急ブレーキなど航空機の機体長手方向からの強い衝撃に対する強度を高めることができる。
【００４９】
特に、図５に例示されるように、座席ユニットの正面が座席トラックに対して斜めに向いている場合であっても、背面シェル構造体の下方は座席トラックの方向、すなわち、背面シェル構造体の斜め方向からの衝撃を吸収し、上方は斜めからの衝撃による弾性変位を素早く元の状態に戻すことができる。
【００５０】
加えて、右側シェル２１０及び左側シェル２３０も、背面側シェル２２０の上方及び下方と同様の構造を有し、背面シェル構造体が背面側シェル２２０、右側シェル２１０及び左側シェル２３０と一体として構成されることによって、座席ユニットが座席トラックに対してより斜めに向いている場合であっても、衝撃に対する強度を高めることができる。
【００５１】
（第２の実施形態）
次に、図１１を用いて第２の実施形態を説明する。図１１は、第２の実施形態に係るシェル構造の断面図である。後部座席用のディスプレイ３７０を背面側シェル２２０ｃの上方部２２７ｃに配設した以外の点は第１の実施形態と同じである。
【００５２】
（構成）
第２の実施形態においては、背面側シェル２２０ｃの上方部の一部の領域２２７ｃにおいて、背面側シェル２２０ｃを前方に膨らませ、後方に凹部を設けている。そして、この凹部に、ディスプレイ３７０を配設している。
【００５３】
（作用効果）
第２の実施形態によれば、ディスプレイ３７０の設置スペースを確保できることよって、機内設備の設置の簡便化が図れる。
【００５４】
加えて、このようにディスプレイ３７０を前方座席の背面シェル構造体に取り付けることにより、後方座席の乗客は、背面シェル構造はリクライニング操作によって動くことがないため、ディスプレイを固定された位置で見ることができる。つまり、後方座席の乗客は、前方座席の状態が平常状態であるか、リクライニング状態であるかを気づかないのである。すなわち、前方座席の乗客にとって、背面側シェルが自分の所作を覆い隠しているため、自分の所作を後方の乗客に気づかれないという効果を有する。
【００５５】
さらに、第１の実施形態と同様、第２の実施形態の場合も、シェルを構成する前面部材と後面部材との間にハニカム構造体を有する部分を、背面シェル構造体の下方に設けることにより、背面シェル構造体にディスプレイを載置しても十分な強度を保つことができる。
【００５６】
(第３の実施形態)
次に、図１２を用いて第３の実施形態を説明する。図１２は、第１の実施形態で説明した、座席土台２４０と上部シェルを一体に成型したシェル２０を示している。座席土台２４０と上部シェルを一体に成型した以外の点は第１の実施形態と同じである。
【００５７】
（構成）
第３の実施形態においては、座席土台２４０及び上部シェルが共に一体成型され、一体でモノコック構造を実現している。一体成型される部材に用いる複合材料などについても、第１の実施形態と同じである。
【００５８】
このような第３の実施形態の場合も、第１の実施形態の場合のいくつかの変形例や第２の実施形態で示した変形が可能であることはいうまでもない。
【００５９】
（作用効果）
第３の実施形態によれば、第１の実施形態と同様の効果を有し、さらに、座席土台と上部シェルとが一体となっていることから、座席全体の強度を向上させ、生産時の組立性も向上させることができる。また、取付け作業を簡略化できるという効果を有する。
【００６０】
(第４の実施形態)
図１３は、第４の実施形態に係る座席ユニットを斜め後方から見た斜視図である。座席ユニット４００は、航空機の客室に配設されるエコノミークラス向けである。
【００６１】
（構成）
座席ユニット４００は、座席４１０、座席土台５００及び背面側シェル６００から構成される。座席４１０は、上部シート４２０、下部シート４３０及び、シートベルト４４０から構成される。座席土台５００は、第１の実施形態と同様、一体成型された中空のボックス型の座席下部構造体である。
【００６２】
座席ユニット４００は、４人掛けの座席４１０と、１つの座席土台５００で構成される。すなわち、中空領域５１０は１つである。
【００６３】
背面側シェル６００は、４人掛けの座席４１０の背部となる背中部全体を覆っている。背面側シェル６００の断面構造や材料などは第１の実施形態と同様である。
【００６４】
また、第４の実施形態の場合も、第１の実施形態の場合のいくつかの変形例や第２の実施形態で示した変形が可能であることはいうまでもない。また、第３の実施形態の場合と同様に、背面側シェル６００と座席土台５００を一体成型してもよい。
【００６５】
（作用効果）
第４の実施形態によれば、第１の実施形態と同様の効果を有し、さらに、乗客毎に背面のスペースを区切る必要がなく、機内設備の設置の簡便化が図れるという効果を有する。
【００６６】
なお、本発明は上記した航空機の座席ユニットに適用した例で説明したが、本発明の対象は航空機に限定されるものではなく、航空機以外の様々な移動体の座席に適用されうるものであり、様々な変形例が含まれる。例えば、列車、長距離バス、および客船、フェリー、およびホーバー・クラフトを含む水上輸送機関のような他の形式の乗物や移動体にも適切に使用できる。
【００６７】
また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６８】
１、４００  座席ユニット
１０、４１０  座席
２０  シェル
１１０、４３０  下部シート
１２０、４２０  上部シート
１３０  ヘッドレスト
１４０  レッグレスト
１５０、４４０  シートベルト
１６０  上部シート用支持体
１７０  補強部材
１８０  座席リクライニング機構
１９０  フット・リクライニング機構
２１０  右側シェル
２１５  シェル境界線
２２０、６００  背面側シェル
２２１  下方部
２２２  前面部材
２２３  後面部材
２２４、２４８  ハニカム構造体
２２５  スポンジ部材
２２６  構造分岐線
２２７  上方部
２３０  左側シェル
２４０、５００  座席土台
２４１  底部
２４２、５１０  中空領域
２４３  上部
２５０  仕切り部材
２６２  第１の取付けブロック
２６４  第２の取付けブロック
２６６  第３の取付けブロック
２７２  第１の取付け具
２７４  第２の取付け具
２７６  第３の取付け具
２８２  第１の座席トラック
２８４  第２の座席トラック
３１０  右側肘掛け部
３２０  左側肘掛け部
３３０  収納ボックス
３４０  オットマン
３５０  ジャック
３６０  読書灯
３７０  ディスプレイ
【図１】
2018176771.tif 000003
【図２】
2018176771.tif 000004
【図３】
2018176771.tif 000005
【図４】
2018176771.tif 000006
【図５】
2018176771.tif 000007
【図６】
2018176771.tif 000008
【図７】
2018176771.tif 000009
【図８】
2018176771.tif 000010
【図９】
2018176771.tif 000011
【図１０】
2018176771.tif 000012
【図１１】
2018176771.tif 000013
【図１２】
2018176771.tif 000014
【図１３】
2018176771.tif 000015